(57)【要約】      （修正有）【課題】消毒、除臭・芳香を行い、汚れを付着し難くするとともに、汚物が水面に落ちた時の汚水の跳ね返りで使用者や便器が汚れることを防ぐ泡洗浄装置を具えた衛生器具を提供する。【解決手段】泡洗浄装置は、衛生器具１０内の予め形成された空間に設けるか、衛生器具１０の外部に独立して設けてもよい。或いは洗浄用の液体洗剤タンク２１を携帯して使用する。実用的、且つ美観を高めるため、この装置はハウジング１６を具えてなる。ハウジング１６は表面に、使用上便利なように設けた手動式コントローラー１２と、液体洗剤の残量を確認するために便利なように設けられた表示窓１９とを具えてなる。また、修理に便利なように、ハウジング１６の外蓋を開いてハウジングの内部１７を確認することができるとともに、フレーム２３上に設けられた洗浄用の液体洗剤タンク２１を交換できる。【選択図】図２
0003133215.tif 000002
【実用新案登録請求の範囲】
【請求項１】
液体洗剤タンクと、フレームと、混合手段と、コントローラーと、輸送装置と、噴射手段と、泡と、を含んでなり、
該液体洗剤タンクは、洗浄内部に洗浄用の液体洗剤が充填され、混合手段に接続するか、或いは直接使用し、
該フレームは、液体洗剤タンクを設けるために供し、混合手段に接続し、
該混合手段は、フレームに液体洗剤タンクを設けてなり、輸送管に接続し、輸送管の水流に沿って液体洗剤タンクの液体洗剤の放出を制御して水と混合し、
該コントローラーは、輸送管上に設けられ、センサー、或いは手動式を採用し、輸送装置の水流及び流量を制御して適量、且つ十分な液体洗剤の水を混合し、
該輸送装置は、コントローラーで制御し、水が給水弁から輸送管を経由して混合手段に入り込み水と混合した後、再び環状の管を経由して混合した液体を噴射し、
該噴射手段は、環状の便器の水洗孔か、或いは便器の座椅子の内部の環状の噴射管に設けられ、一端が輸送管に接続し、輸送管内の混合された液体をガイドし、他端のノズルから環状に均一に衛生器具の内部に噴射し、
該泡は、使用者がトイレを使用する場合、衛生器具の内側底部及び水面上に適宜な厚さを具えた泡を積もらせて層を形成するとともに、消毒、芳香、除臭、便器内に汚れを付着し難いように潤滑し、水洗後に臭いや汚れなどが放出されることを防ぐ構造からなることを特徴とする泡洗浄装置を具えた衛生器具。
【請求項２】
前記泡が、中空且つ、きめ細やかで、連結する特性を具えてなり、衛生器具内側底部及びその水面に貼着し、被覆して除臭、汚物が水面に落ちた時の水の跳ね返りによる汚れを防ぎ、トイレを使用する場合や、使用後、水を流す場合に便器内を消毒し、芳香・除臭を行うとともに、汚れが貼着し難いように潤滑性を高め、長時間、適宜な厚さを保ち、臭いを確実に遮断し、汚れの跳ね返りを防ぐ構造からなることを特徴とする請求項１に記載する泡洗浄装置を具えた衛生器具。
【請求項３】
前記液体洗剤タンクが、フレームに設けられ、混合手段に接続するか、或いは単独で携帯して使用することを特徴とする請求項１に記載する泡洗浄装置を具えた衛生器具。
【請求項４】
前記フレームが、液体洗剤タンクを設けるために供するとともに、混合手段、或いは輸送装置に接続することを特徴とする請求項１に記載する泡洗浄装置を具えた衛生器具。
【請求項５】
前記混合手段が液体洗剤タンクに接続するとともに、接続している輸送管の水流に従って液体を放出し、水と混合することを特徴とする請求項１に記載する泡洗浄装置を具えた衛生器具。
【請求項６】
前記コントローラーが、輸送管上に設けられ、センサーか、或いは手動で輸送装置の水量及び流量を制御することを特徴とする請求項１に記載する泡洗浄装置を具えた衛生器具。
【請求項７】
前記輸送装置が、表面にコントローラーを設けて、水流及び流量を制御するとともに、水が給水弁から輸送管を経由して混合手段に入り、混合手段を動かして液体洗剤を放出して混合した後、再び環状の管に輸送されることを特徴とする請求項１に記載する泡洗浄装置を具えた衛生器具。
【請求項８】
前記噴射手段が便器の水洗孔か、或いは便器の座椅子の内部に設けられるとともに、環状、且つノズルを具えた環状の管から形成され、一端から輸送管から送られてきた混合液を衛生器具の内部に噴射することを特徴とする請求項１に記載の泡洗浄装置を具えた衛生器具。
【考案の詳細な説明】
【技術分野】
【０００１】
この考案は、泡洗浄装置を具えた衛生器具に関し、特に便器など衛生器具をバブル洗浄する泡洗浄装置を具えた衛生器具に関する。
【背景技術】
【０００２】
近年、生活の品質の向上に伴い、人々が生活環境を重視するようになっている。これにより、人々の暮らしと密接な関係のある衛生関連設備も細部に至る部分まで発展している。
【０００３】
例えば、衛生関連設備では、予め表面に汚れが残り難いように水洗浄で湿らせる、使用後に水洗浄する、貯水タンク内に洗浄用の消毒薬を入れる、除臭用の芳香効果を具えた洗浄剤を使用する、衛生設備の周囲に芳香剤を置くなどはいずれも便器及び、便器を使用する場合に最も好ましい環境の品質を提供するためのものである。
【０００４】
従来のトイレなど衛生設備装置は使用後に水洗浄を行う。最新の設備では、事前に水洗浄を行って表面に汚れがつき難い状態にする、貯水タンク内に洗浄剤を入れ、便器使用後、便器内の汚物を流すとともに、便器を洗浄、消毒する。
【０００５】
しかしながら、洗浄剤は、短期間に連続して使用すると、薄くなり、長期間使用すると、量が多すぎて無駄になる。また、トイレを済ませた後に使用する場合では、トイレの使用中に排泄物が水に落ちた時、汚水の跳ね返りにより汚れが付着し易く、水洗浄だけでは汚れを取り除くことができないか、或いは汚水の跳ね返りにより使用者が汚れるなどの問題が発生する。
【０００６】
よって、洗浄が困難なだけでなく、病原菌が発生し易くなり、衛生面での死角が形成されるか、或いは衛生問題が発生する原因になる。
【考案の開示】
【考案が解決しようとする課題】
【０００７】
この考案はすばやく消毒を行い、除臭・芳香、汚れを付着し難くするとともに、汚物が便器内に落ちた時の汚水の跳ね返りにより使用者や便器が汚れることを防ぐ泡洗浄装置を具えた衛生器具を提供することを課題とする。
【課題を解決するための手段】
【０００８】
そこで、本考案者は従来の技術に見られる欠点に鑑みて鋭意研究を重ねた結果、液体洗剤タンクと、フレームと、混合手段と、コントローラーと、輸送装置と、噴射手段と、泡と、を含んでなり、
該液体洗剤タンクは、洗浄内部に洗浄用の液体洗剤が充填され、混合手段に接続するか、或いは直接使用し、
該フレームは、液体洗剤タンクを設けるために供し、混合手段に接続し、
該混合手段は、フレームに液体洗剤タンクを設けてなり、輸送管に接続し、輸送管の水流に沿って液体洗剤タンクの液体洗剤の放出を制御して水と混合し、
該コントローラーは、輸送管上に設けられ、センサー、或いは手動式を採用し、輸送装置の水流及び流量を制御して適量、且つ十分な液体洗剤の水を混合し、
該輸送装置は、コントローラーで制御し、水が給水弁から輸送管を経由して混合手段に入り込み水と混合した後、再び環状の管を経由して混合した液体を噴射し、
該噴射手段は、環状の便器の水洗孔か、或いは便器の座椅子の内部の環状の噴射管に設けられ、一端が輸送管に接続し、輸送管内の混合された液体をガイドし、他端のノズルから環状に均一に衛生器具の内部に噴射し、
該泡は、使用者がトイレを使用する場合、衛生器具の内側底部及び水面上に適宜な厚さを具えた泡を積もらせて層を形成するとともに、消毒、芳香、除臭、便器内に汚れを付着し難いように潤滑し、水洗後に臭いや汚れなどが放出されることを防ぐ構造からなる泡洗浄装置を具えた衛生器具によって課題を解決できる点に着眼し、かかる知見に基づいて本考案を完成させた。
【０００９】
以下、この考案について具体的に説明する。
請求項１に記載の泡洗浄装置を具えた衛生器具は、液体洗剤タンクと、フレームと、混合手段と、コントローラーと、輸送装置と、噴射手段と、泡と、を含んでなり、
該液体洗剤タンクは、洗浄内部に洗浄用の液体洗剤が充填され、混合手段に接続するか、或いは直接使用し、
該フレームは、液体洗剤タンクを設けるために供し、混合手段に接続し、
該混合手段は、フレームに液体洗剤タンクを設けてなり、輸送管に接続し、輸送管の水流に沿って液体洗剤タンクの液体洗剤の放出を制御して水と混合し、
該コントローラーは、輸送管上に設けられ、センサー、或いは手動式を採用し、輸送装置の水流及び流量を制御して適量、且つ十分な液体洗剤の水を混合し、
該輸送装置は、コントローラーで制御し、水が給水弁から輸送管を経由して混合手段に入り込み水と混合した後、再び環状の管を経由して混合した液体を噴射し、
該噴射手段は、環状の便器の水洗孔か、或いは便器の座椅子の内部の環状の噴射管に設けられ、一端が輸送管に接続し、輸送管内の混合された液体をガイドし、他端のノズルから環状に均一に衛生器具の内部に噴射し、
該泡は、使用者がトイレを使用する場合、衛生器具の内側底部及び水面上に適宜な厚さを具えた泡を積もらせて層を形成するとともに、消毒、芳香、除臭、便器内に汚れを付着し難いように潤滑し、水洗後に臭いや汚れなどが放出されることを防ぐ構造からなる。
【００１０】
請求項２に記載の泡洗浄装置を具えた衛生器具は、請求項１における泡が、中空且つ、きめ細やかで、連結する特性を具えてなり、衛生器具内側底部及びその水面に貼着し、被覆して除臭、汚物が水面に落ちた時の水の跳ね返りによる汚れを防ぎ、トイレを使用する場合や、使用後、水を流す場合に便器内を消毒し、芳香・除臭を行うとともに、汚れが貼着し難いように潤滑性を高め、長時間、適宜な厚さを保ち、臭いを確実に遮断し、汚れの跳ね返りを防ぐ構造からなる。
【００１１】
請求項３に記載の泡洗浄装置を具えた衛生器具は、請求項１における液体洗剤タンクが、フレームに設けられ、混合手段に接続するか、或いは単独で携帯して使用する。
【００１２】
請求項４に記載の泡洗浄装置を具えた衛生器具は、請求項１におけるフレームが、液体洗剤タンクを設けるために供するとともに、混合手段、或いは輸送装置に接続する。
【００１３】
請求項５に記載の泡洗浄装置を具えた衛生器具は、請求項１における混合手段が液体洗剤タンクに接続するとともに、接続している輸送管の水流に従って液体を放出し、水と混合する。
【００１４】
請求項６に記載の泡洗浄装置を具えた衛生器具は、請求項１におけるコントローラーが、輸送管上に設けられ、センサーか、或いは手動で輸送装置の水量及び流量を制御する。
【００１５】
請求項７に記載の泡洗浄装置を具えた衛生器具は、請求項１における輸送装置が、表面にコントローラーを設けて、水流及び流量を制御するとともに、水が給水弁から輸送管を経由して混合手段に入り、混合手段を動かして液体洗剤を放出して混合した後、再び環状の管に輸送される。
【００１６】
請求項８に記載の泡洗浄装置を具えた衛生器具は、請求項１における噴射手段が便器の水洗孔か、或いは便器の座椅子の内部に設けられるとともに、環状、且つノズルを具えた環状の管から形成され、一端から輸送管から送られてきた混合液を衛生器具の内部に噴射する。
【考案の効果】
【００１７】
この考案による泡洗浄装置を具えた衛生器具は、便器など衛生器具内部の水面を泡せ被覆することにより、汚物が水に落ちた場合の汚水の跳ね返りによる汚れや、汚れが付着し難くするとともに、芳香・除臭、消毒などの効果を有する。
【考案を実施するための最良の形態】
【００１８】
この考案は、すばやく消毒を行い、除臭・芳香、汚れを付着し難くするとともに、汚物が便器内に落ちた時の汚水の跳ね返りにより使用者や便器が汚れることを防ぐ泡洗浄装置を具えた衛生器具であって、液体洗剤タンクと、フレームと、混合手段と、コントローラーと、輸送装置と、噴射手段と、泡と、を含んでなり、
該液体洗剤タンクは、洗浄内部に洗浄用の液体洗剤が充填され、混合手段に接続するか、或いは直接使用し、
該フレームは、液体洗剤タンクを設けるために供し、混合手段に接続し、
該混合手段は、フレームに液体洗剤タンクを設けてなり、輸送管に接続し、輸送管の水流に沿って液体洗剤タンクの液体洗剤の放出を制御して水と混合し、
該コントローラーは、輸送管上に設けられ、センサー、或いは手動式を採用し、輸送装置の水流及び流量を制御して適量、且つ十分な液体洗剤の水を混合し、
該輸送装置は、コントローラーで制御し、水が給水弁から輸送管を経由して混合手段に入り込み水と混合した後、再び環状の管を経由して混合した液体を噴射し、
該噴射手段は、環状の便器の水洗孔か、或いは便器の座椅子の内部の環状の噴射管に設けられ、一端が輸送管に接続し、輸送管内の混合された液体をガイドし、他端のノズルから環状に均一に衛生器具の内部に噴射し、
該泡は、使用者がトイレを使用する場合、衛生器具の内側底部及び水面上に適宜な厚さを具えた泡を積もらせて層を形成するとともに、消毒、芳香、除臭、便器内に汚れを付着し難いように潤滑し、水洗後に臭いや汚れなどが放出されることを防ぐ構造からなる。
かかる泡洗浄装置を具えた衛生器具の構造と特徴を詳述するために具体的な実施例を挙げ、図示を参照にして以下に説明する。
【実施例】
【００１９】
図１から図５に開示するように、この考案は泡洗浄装置を具えた衛生器具であって、衛生器具１０内の予め形成された空間１１に設けるか、衛生器具１０の外部に独立して設けてもよい。或いは洗浄用の液体洗剤タンク２１を携帯して使用する。
【００２０】
実用的、且つ美観を高めるため、この考案の装置はハウジング１６を具えてなる。該ハウジング１６は表面に、使用上便利なように設けた手動式コントローラー１２と、液体洗剤の残量を確認するために便利なように設けられた表示窓１９とを具えてなる。
【００２１】
また、修理に便利なように、ハウジング１６の外蓋３２を開いてハウジングの内部１７を確認することができるとともに、フレーム２３上に設けられた洗浄用の液体洗剤タンク２１を交換できる。
【００２２】
トイレを使用する場合には、輸送装置の手動式のコントローラー１２（電源２６が入っているかどうかを確認でき、センサー式のコントローラー１８を採用する）を始動させる。便器の給水三角弁１４の水源から水が輸送装置の輸送管２０（内設型では１５）を経由して輸送管の水流方向２５に沿って混合手段２４に流れ込む。
【００２３】
その後、混合手段２４の制御管に動かされ、フレーム２３上の洗浄用の液体洗剤タンク２１から適量の液体洗剤２２が放出され、混合された後、再び便器の座椅子２７下に設けられた環状の管２９（内設型では１３）を経由して環状の管のノズル及び噴射口３３（内設型では３６）から衛生器具１０の内部に噴射される。
【００２４】
また、衛生器具１０の内側底部及び水面３５上に噴射されて水面上に適宜な厚さを具えた泡３７の層が形成され、トイレ使用時に使用される。
【００２５】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００２６】
【図１】この考案の泡洗浄装置を具えた衛生器具を衛生器具に設けた場合の説明図である。
【図２】この考案の泡洗浄装置を具えた衛生器具を示した説明図である。
【図３】この考案の泡洗浄装置を具えた衛生器具を上、正面、側面、断面から示した説明図である。
【図４】この考案の泡洗浄装置を具えた衛生器具の装置を示した説明図である。
【図５】この考案の泡洗浄装置を具えた衛生器具を示した断面図である。
【符号の説明】
【００２７】
１０ 衛生器具
１１ 空間
１２ コントローラー
１３ 管
１４ 給水三角弁
１５ 輸送管
１６ ハウジング
１７ 内部
１８ コントローラー
１９ 表示窓
２０ 輸送管
２１ 液体洗剤タンク
２２ 液体洗剤
２３ フレーム
２４ 混合手段
２５ 水流方向
２６ 電源
２７ 座椅子
２８ 便器貯水タンク接続端
２９ 管
３０ 蓋
３１ 便器の蓋を上げた場合の位置
３２ 外蓋
３３ 噴射口
３４ 切断線
３５ 水面
３６ 噴射口
３７ 泡
【図１】
0003133215.tif 000003
【図２】
0003133215.tif 000004
【図３】
0003133215.tif 000005
【図４】
0003133215.tif 000006
【図５】
0003133215.tif 000007